(57)【要約】【課題】プリント基板の設計変更などを行うことなく電子機器内に容易に設置できるサブウーファなどの低音用スピーカシステムを提供する。【解決手段】本発明の薄型低音用スピーカシステムは、ＣＤドライバーとほぼ同一の形状・寸法を有するケース（２２）、このケースの内部に組み込まれたスピーカ素子（２１ａ，２１ｂ）  および低音成分を位相反転させるためのポート（２３）を備え、電子機器内に設置されるＣＤドライバーの下方もしくは上方またはこのＣＤドライバーの設置用に形成された空間に設置される。【選択図】    図２
2005020479.tif 000002
【特許請求の範囲】
【請求項１】
ＦＤドライブまたはＣＤドライブとほぼ同一の形状・寸法を有するケース、このケースの内部に組み込まれたスピーカ素子および低音成分を位相反転するためのバスレフを備え、電子機器内に設置されるＦＤドライブまたはＣＤドライブの下方もしくは上方またはこのＦＤドライブまたはＣＤドライブの設置用に形成された空間に設置されることを特徴とする薄型低音用スピーカシステム。
【請求項２】
請求項１において、
前記バスレフのポートが前記電子機器の正面の中央近辺に配置され中音域まで再生可能なことを特徴とする薄型低音用スピーカシステム。
【請求項３】
請求項１と２のそれぞれにおいて、
前記ケースの少なくとも一面は銅、アルミその他の金属面から成り、前記スピーカ素子のヨークは前記ケースの金属面に導電性の接着剤で取付けられることにより、前記スピーカ素子からの放熱路が形成されることを特徴とする薄型低音用スピーカシステム。
【請求項４】
請求項１乃至３のそれぞれにおいて、
前記スピーカ素子は並列接続される複数の小型のスピーカ素子から成ることを特徴とする薄型低音用スピーカシステム。
【請求項５】
請求項１乃至４のそれぞれにおいて、
前記ケースの内部に前記スピーカ素子を駆動させる音声出力増幅部が配置されることを特徴とする薄型低音用スピーカシステム。
【発明の詳細な説明】
【０００１】
【発明の属する技術分野】
本発明は、ノート型パソコンなどの電子機器の内部に組み込まれる薄型低音用スピーカシステムに関するものである。
【０００２】
最近、ノート型パソコンなどの電子機器の内部にもサブウーファ（重低音用スピーカ）などの薄型の低音用スピーカシステムが組み込まれるようになってきた（例えば、特許文献１参照）。このサブウーファは、ノート型パソコンのキーボード部に組み込まれバスレフのポートがキーボード部の前面に配置されている。
【０００３】
【特許文献１】
特開２００２−７８０７２号公報（図１〜図４）
【０００４】
【発明が解決しようとする課題】
上記特許文献１の薄型低音用スピーカシステムでは、サブウーファの形状・寸法がこのスピーカシステムに固有のものであるため、サブウーファを組み込むためのスペースをプリント基板上に新たに確保する必要がある。このため、サブウーファを追加するためだけに、プリント基板を設計変更をしなければならないなどの問題がある。また、従来のサブウーファは小型であり、このため、音質が劣るという問題もある。
【０００５】
【課題を解決するための手段】
上記従来技術の課題を解決する本発明の薄型低音用スピーカシステムは、ＦＤドライブまたはＣＤドライブとほぼ同一の形状・寸法を有するケース、このケースの内部に組み込まれたスピーカ素子および低音成分を位相反転するためのバスレフを備え、電子機器内に設置されるＦＤドライブまたはＣＤドライブの下方もしくは上方またはこのＦＤドライブもしくはＣＤドライブの設置用に形成された空間に設置されるように構成されている。
【０００６】
【発明の実施の形態】
本発明の一つの好適な実施の形態によれば、バスレフのポートが電子機器の正面の中央近辺に配置され中音域まで再生可能とされることにより、音響特性や音質の一層の向上が図られるように構成されている。
【０００７】
本発明の他の好適な実施の形態によれば、上記ケースの少なくとも一面は銅、アルミその他の金属面から成り、スピーカ素子のヨークは薄型ケースの金属面に導電性の接着剤で取付けられることにより、スピーカ素子までの放熱路が形成されるように構成されている。
【０００８】
本発明のさらに他の好適な実施の形態によれば、スピーカ素子は並列接続される複数の小型のスピーカ素子から成り、これによって一層の薄型化が実現されるように構成されている。
【０００９】
本発明のさらに他の好適な実施の形態によれば、ケースの内部にスピーカ素子を駆動させる音声出力増幅部が配置されることにより、電子機器の内部へのスピーカシステムの組み込みが一層容易になるように構成されている。
【００１０】
【実施例】
図１は、本発明の一実施例の薄型低音用スピーカシステムの構成を、これを組み込んだノート型パソコンの構成と共に示す斜視図である。組み込み対象の電子機器のノート型パソコン１０は、互いに折り畳まれるキー操作部１１と液晶表示部１２とを備えている。キー操作部１１はキーボードと、中・高音域の左右のスピーカＬとＲとを備えている。
【００１１】
キー操作部１１の内部には、薄型低音用スピーカシステム２０が設置されている。この実施例の薄型低音用スピーカシステム２０は、汎用のＦＤドライブとほぼ同一の形状・寸法を有するケース２２を備えるとともに、もともとは、このノート型パソコンのＦＤドライブの設置用に形成された空間に設置されている。すなわち、最近、ＦＤドライブがノート型パソコンなどの電子機器から撤去される傾向にあり、そのような場合、もともとはＦＤドライブの設置用として形成された空間を薄型低音用スピーカシステム２０を設置するための空間として転用することができる。
【００１２】
図２は、図１に示した薄型低音用スピーカシステム２０を拡大して示す斜視図であり、図３は図２のＡ−Ａ’断面図である。矩形状のケース２２の内部にそれぞれコーンスピーカから成る２個のスピーカ素子２１ａ，２１ｂが取付けられている。図３の断面図に示すように、スピーカ素子２１ａ，２１ｂは、それぞれのヨークの外周面を熱伝導性の接着剤でケース２２の上面２２ａに固定することにより、下向きの状態でケース２２の内部に保持されている。各小型スピーカ素子２１ａ，２１ｂの前方には、ノート型パソコンのキー操作部１１の底板（図示せず）が配置されており、この底板には各小型スピーカ素子２１ａ，２１ｂが発生させた音を通過させるための矩形状の放音孔が多数形成されている。
【００１３】
ケース２２の上面２２ａは、銅やアルミ合金など熱伝導率の高い金属を素材としており、スピーカ素子２１ａ，２１ｂで発生した熱に対して、それぞれのヨークを通してケース２２までの放熱路が形成される。ケース２２の内部には、バスレフ機能を実現するための矩形状のポート２３が形成されている。このポート２３は、その内部を伝播する数十  Ｈｚ  の周波数帯域の重低音の音声信号に対して位相反転を生じさせるような長さを有する。
【００１４】
図１を参照すると、ポート２３の出口がノート型パソコンの操作部１１の前方ほぼ中央部（左右のスピーカＬ，Ｒの中間）に位置するように、ポート２３の向きが考慮されている。このポート２３の出口から放出される重低音は、スピーカ素子２１ａ，２１ｂの前方からノート型パソコンの底板の放音孔を通して放出された重低音と同相の関係で重畳することにより、強めあいながら操作部１１の前方に放出される。また、このポート２３の出口が左右のスピーカＲ，Ｌの中間に配置されるため、低音用スピーカシステムを中音域まで再生する場合においても音の定位等の左右のバランスが崩されることがない。
【００１５】
ケース２２の内部には、スピーカ素子２１ａ，２１ｂを駆動させる音声出力増幅部（図示省略）が形成されたプリント基板２４が配置される。この音声出力増幅部２４が発生した熱もケース２２の金属面２２ａに伝達され、スピーカ素子２１ａ，２１ｂの場合と同様に放熱が促進される。
【００１６】
薄型ケース２２の容積が増大するほど、ケース内の空気の圧縮・膨張に起因するスピーカ素子２１ａ，２１ｂからみた負荷が小さくなり、音質が向上する。従来、このような大きなケースを収容するための空間を、小型のノート型パソコン内などに確保することが困難であった。この実施例のように、もともとはＦＤドライブの設置用に形成された空間にこのようなケースを配置することによって、高音質化を実現するための大きな容積の空間が確保できる。
【００１７】
このケース２２を、もともとはＦＤドライブの設置用に形成された空間に配置するには、ケース２２の薄型化が必要である。このケースの薄型化を実現するために、スピーカ素子を複数の小型なスピーカ素子に分割して平面的に分散することにより、所望の音声出力を確保しつつ、個々のスピーカ素子の厚みの低減が図られている。
【００１８】
以上、もともとはＦＤドライブの設置用に形成された空間にケース２２を配置する構成を例示した。しかしながら、電子機器に設置されるＦＤドライブの上方または下方にケース２２を配置する構成とすることもできる。さらに、ＦＤドライブの代わりにＣＤドライブの上方または下方に、あるいはＣＤドライブの設置用に形成された空間にケース２２を配置する構成とすることもできる。
【００１９】
さらに、本発明の薄型低音用スピーカシステムをノート型パソコンのキー操作部に組み込む場合を例示したが、これを液晶表示部の裏面側に組み込むこともできる。
【００２０】
さらに、本発明の薄型低音用スピーカシステムをノート型パソコンに組み込む場合を例示したが、据え置き型のパソコンなど薄型の適宜な電子機器に組み込むこともできる。
【００２１】
さらに、本発明をサブウーファ（重低音用スピーカ）に応用する場合を例示したが、ウーファ（低音用スピーカシステム）に応用することもできる。
【００２２】
【発明の効果】以上詳細に説明したように、本発明の薄型低音用スピーカシステムは、ＦＤドライブやＣＤドライブとほぼ同一の形状・寸法を有する薄型ケースを備え、ＦＤドライブやＣＤドライバーの設置用空間に、あるいはこれらのドライブの上方や下方に配置する構成であるから、大きな容積のケースを用いて高音質のサブウーファなどを実現できるという利点がある。
【図面の簡単な説明】
【図１】本発明の一実施例の薄型低音用スピーカシステムの構成を組み込み対象のノート型パソコンの構成と共に示す斜視図である。
【図２】図１の薄型低音用スピーカシステムの拡大斜視図である。
【図３】図２のＡ−Ａ’断面図である。
【符号の説明】
１０            ノート型パソコン（  電子機器）
２０        薄型低音用スピーカシステム
２１ａ，２１ｂ    小型のスピーカ素子
２２        ケース
２３          ポート
２４        音声出力増幅部が組み立てられるプリント基板
【図１】
2005020479.tif 000003
【図２】
2005020479.tif 000004
【図３】
2005020479.tif 000005